(57)【要約】【課題】教科書などの印刷物に使用されるインクや接着剤などから生じうるＶＯＣを除去することのできる製品を提供することを目的とする。【解決手段】シラスおよび繊維質材料を必須成分として含むことを特徴とするシラス含有紙およびこれを用いた印刷物。【選択図】      なし【特許請求の範囲】
【請求項１】
必須成分としてシラスおよび繊維質材料を含むことを特徴とするシラス含有紙。
【請求項２】
前記シラスが前記繊維質材料１００重量部に対して５〜５０重量部含まれることを特徴とする請求項１に記載のシラス含有紙。
【請求項３】
前記シラスの粒径が１〜１００μｍであることを特徴とする請求項１または２に記載のシラス含有紙。
【請求項４】
前記繊維質材料が植物繊維であることを特徴とする請求項１〜３のいずれかに記載のシラス含有紙。
【請求項５】
請求項１〜４のいずれかに記載のシラス含有紙を使用した印刷物。
【発明の詳細な説明】
【０００１】
【発明の属する技術分野】
本発明は、シラスをその内部に含有する紙およびこれを用いた印刷物に関する。
【０００２】
【従来の技術】
近年、生活環境に存在する様々な種類の化学物質に反応して体調が悪化する化学物質過敏症（Ｃｈｅｍｉｃａｌ  Ｓｅｎｓｉｔｉｖｉｔｙ：以下、ＣＳ）を訴える人が増加している。
【０００３】
発症原因の大半は、いわゆる「シックハウス」や「シックビル」と呼ばれる室内空気汚染であり、新築やリフォームに使用される建材や家具に用いられる接着剤、シロアリ防除剤、防虫畳、トイレ芳香剤などから揮発する揮発性有機化合物（Ｖｏｌａｔｉｌｅ  Ｏｒｇａｎｉｃ  Ｃｏｍｐｏｕｎｄ：以下、ＶＯＣ）がその原因とされている。また、室外の、農薬やごみの焼却等により生じる化学物質も発症の要因とされている。
【０００４】
さらに近年においては、学校や保育園などに通学・通園する子供に対する化学物質の影響が懸念されており、シックハウスと同様の症状が出ることから「シックスクール」と呼ばれるようになっている。ＣＳを発症した子供は、頭痛、のどの痛み、鼻血、筋肉の痙攣などの不調を訴えることが報告されており、さらには、集中力や思考力の低下、感情の制御がきかなくなるといった症状も報告されている。シックスクールの具体的な原因としては、シックハウスと同様、校舎の新築・改修時に使用される建材に用いられる接着剤の他、樹木への農薬散布、教師のたばこや香水、トイレの芳香剤や洗浄剤、床に塗布するワックス、教科書や配布物に使用されるインクや接着剤などが指摘されている。
【０００５】
このような問題に対し、関係業界では、例えば、ホルムアルデヒドなどのＶＯＣを削減した接着剤や水性タイプのインク、塗料など、ＶＯＣが発生しないかもしくはその量が少ない対策製品を開発するなどして対応しているが、原因となっているすべての製品について対策製品が開発されているわけではない。また、学校側も、上記のような対策製品を使用したり、学校内を禁煙にしたりするなどして対応しているところもあれば、このような問題を知らないために子供や親の訴えをなかなか理解しようとしないところもある。いずれにしても、上記のような対策製品の種類は少なく、かつそれが広く普及するには至っていない。なかでも、教科書や配布物などの印刷物から発生しうるＶＯＣについては、その濃度が極めて微量であるためＣＳの原因として認知されにくく、十分な対策が為されていないのが現状である。
【０００６】
しかし、一般的に、ＣＳを発症した人は、ｐｐｂ以下の極微量な化学物質にも反応するといわれており、空気中のＶＯＣが通常では問題ないとされるような微量な濃度であっても何らかの症状を発症してしまう。したがって、ＶＯＣが微量であっても発生している可能性があり、これがＣＳの原因として疑われている以上、除去するなどの対策を行うことは意義のあることである。
【０００７】
出願人は、これまでに、脱臭性（吸着性）、殺菌性、調湿性、さらには空気中の水分と接触してマイナスイオンを発生するという特性を有するシラスに注目し、これを用いた様々な天然素材製品を開発してきた。このシラスは、南九州に広く分布する火山噴出物の一種で、高温マグマの冷却により結晶分化作用が起こり、マグマの主成分であるＳｉＯ２、Ａｉ２Ｏ３、Ｆｅ２Ｏ３、ＦｅＯ、ＭｇＯ、ＣａＯ、Ｎａ２Ｏ、Ｋ２Ｏ等が互いに集まり鉱物として晶出し、その後ほどなく爆発的に噴出して形成されたものであり、約３割の結晶鉱物と約７割の非晶質の火山ガラスから成っているものである。近年では、これを豊富な資源として有効に活用しようとする様々な試みが為されている。
【０００８】
【特許文献１】
特公昭５２−３９９２４
【０００９】
【発明が解決しようとする課題】
そこで今回、出願人は、学校で使用する教科書や配布物などの印刷物に使用されるインクや接着剤などから生じうる微量のＶＯＣをシラスの脱臭性を利用して除去する製品を提供するために鋭意検討を行い、その結果、シラスを内部に含有する紙およびこれを用いた印刷物を提供することを想到し、本発明を為すに至った。
【００１０】
【課題を解決するための手段】
すなわち、本発明は、以下の（１）〜（５）の記載に関する。
【００１１】
（１）シラスおよび繊維質材料を必須構成成分とすることを特徴とするシラス含有紙。
【００１２】
（２）シラスが前記繊維質材料１００重量部に対して５〜５０重量部含まれることを特徴とする上記（１）に記載のシラス含有紙。
【００１３】
（３）シラスの粒径が１〜１００μｍであることを特徴とする上記（１）または（２）に記載のシラス含有紙。
【００１４】
（４）繊維質材料が植物繊維であることを特徴とする上記（１）〜（３）のいずれかに記載のシラス含有紙。
【００１５】
（５）上記（１）〜（４）のいずれかに記載のシラス含有紙を使用した印刷物。
【００１６】
上記のような本発明のシラス含有紙によれば、シラスが有する脱臭性により、教科書などの印刷物に使用されるインクや接着剤から生じうるＶＯＣを除去することが可能となり、さらには、空気中の水分と接触してマイナスイオンを発生するため、リラクゼーション効果や集中力向上効果などを得ることができる。もちろん、本発明のシラス含有紙は、その他の紙製品に適用することも可能である。
【００１７】
また、本発明において、元々安価な原料であるシラスに対して特別な加工を施す必要がないため、シラス含有紙の製造工程は簡単なものとなり、従来製品と同程度の安価で提供することができる。
【００１８】
さらに、シラス含有紙の組成として、シラス以外の、繊維質材料や各種添加物などの原料についても全て天然素材のものを用いれば、使用時には勿論のこと、処分またはリサイクル時にも有害な物質をほとんど排出しない紙および紙製品を提供することができる。
【００１９】
以下、本発明を詳細に説明する。
【００２０】
【発明の実施の形態】
本発明のシラス含有紙は、シラスおよび繊維質材料をその必須構成成分として含むことを特徴としている。
【００２１】
本発明に使用するシラスとしては、特に限定されないが、粒径が１〜１００μｍのものであることが好ましく、５〜７５μｍのものであることがより好ましい。粒径が１μｍ未満であると、シラス含有紙の脱臭性能が低減する傾向があり、１００μｍを越えると抄紙時にシラスが沈降して抄紙ができなくなるという不具合が生じる。
【００２２】
また、本発明に使用する繊維質材料としては、天然繊維、化学合成繊維、あるいは古紙をリサイクルして得た古紙パルプ等、一般的に紙の製造に使用されるものであればよい。好ましくは、天然繊維である植物繊維を用いる。植物繊維としては、例えば、広葉樹や針葉樹からの木材繊維、綿、麻、楮、三椏、雁皮、ケナフ、エスパルト、バガス、竹、藁などからの非木材繊維などが挙げられる。
【００２３】
また、本発明のシラス含有紙は、サイズ剤、填料、染料、結着剤、消泡剤、蛍光増白剤、酸化防止剤、難燃剤等の製紙に用いられている一般的な各種添加剤が含まれていてもよいが、ＶＯＣを発生しうるものについては避けることが好ましく、できるだけ天然素材のものを使用する。
【００２４】
上記のようなシラスおよび繊維質材料を必須原料として、本発明のシラス含有紙を製造する方法としては、例えば、繊維質材料、シラス、必要に応じて配合される各種添加剤を水に分散させた懸濁液を手漉き、あるいは機械漉きにより抄造し、乾燥するといった一般的な製紙方法でよく、特に限定されない。
【００２５】
本発明のシラス含有紙には、繊維質材料１００重量部に対してシラスが５〜５０重量部含有されていることが好ましく、１０〜３０重量部であることがより好ましい。シラスが５〜５０重量部であるとシラスの有する各種特性を十分に引き出すことができ、かつ引裂強度や白色度といった紙としての実用的な特性をも満足させることができる。もちろん用途や要求特性に応じて、この範囲を種々変更することは可能である。また、抄紙後の乾燥は、ドライヤー、天日干し等により適宜行えばよい。
【００２６】
このようにして得られる本発明のシラス含有紙は、書籍、教科書、絵本、雑誌、辞書、漫画本、新聞、ポスター、パンフレット、カタログ、チラシなどの印刷物に限らず、例えば、はがき、封筒、コピー用紙、製図用紙、地図用紙、手帳、画用紙、ノート、スケッチブック、カレンダー、便箋などの文具類、ティッシュペーパー、ウェットティッシュ、トイレットペーパー、紙おむつ、生理用品、タオルペーパー、マスクなどの衛生用紙、段ボール、包装紙、壁紙、防虫紙、煙草の巻紙、濾紙、耐油紙などの工業用雑種紙、書道半紙、のし紙、エアコンや掃除機の脱臭・除菌フィルター、障子紙、ふすま紙、紙コップ、鮮度保持紙などの家庭用雑種紙、その他紙を用いた加工品等、各種紙製品に用いることができ、当該紙製品にシラスの有する各種特性を付与することが可能となる。また、紙製品でなくとも、ＶＯＣやその他の悪臭を除去したいものや場所、抗菌性を付与したいものや場所、調湿性を付与したいものや場所、あるいはマイナスイオンを発生させたいものや場所などに対して本発明のシラス含有紙を加工、添付するなどして使用することもできる。
【００２７】
【発明の効果】
本発明によれば、脱臭性、抗菌性、調湿性、およびマイナスイオンの発生など、シラスの各種特性を有するシラス含有紙および印刷物を安価に提供することが可能となる。